(57)【要約】      （修正有）【課題】寝台から便器への移動時に膝関節炎や腰痛の痛さを軽減できる吊り下げホルダーを提供する。【解決手段】吊り下げ用の紐Ｈを付けた上円形盤Ａと装着帯Ｓを付けた下円形盤Ｂとを多数の引張コイルバネＷで上下につないだ吊り下げホルダーであって、装着帯を装着した被介護者を吊り下げた場合、被介護者の重さで引張コイルバネは伸び、伸びる事で吊り上げ力は増加し、吊り上げ力の増加途中で被介護者の膝関節炎や腰痛の痛さがなくなる位置に被介護者自身がスイッチ操作で停めるようにして吊り上げ力を調整する。【選択図】図１
0003207643.tif 000002
【実用新案登録請求の範囲】
【請求項１】
吊り下げ紐の下端のUボルトを上円形盤に付けて吊り下げし、この上円形盤の中心で下面に中心パイプを突出させ、その中心パイプの外径から均等寸法位置それぞれに外径が異なる複数の短尺パイプそれぞれを上円形盤の下面に固着し、それら複数の短尺パイプそれぞれの側面に多数の線径穴をあけ、それら多数の線径穴に多数の引張コイルバネを掛けて下げし、その多数の引張コイルバネの下端を下円形盤の上面に固着する複数の短尺パイプの側面の多数の線径穴に掛けて下円形盤を吊り下げし、さらに上円形盤の中心パイプの中心穴に上から差し入れたボルトはスライドし、このボルトの頭は上円形盤より上に位置し、ボルトの下端は下円形盤の中心に固定し、さらに下円形盤の外径を広げた部分双方にはピンを直立し、そのピンに掛け下げる装着帯を装着する被介護者自身がスイッチ操作で自身を吊り上げる事で多数の引張コイルバネは伸び、伸びる事で吊り上げ力は増加し、その吊り上げ力の増加途中に膝関節炎や腰痛の痛さがなくなる引張コイルバネの伸び位置に被介護者自身がスイッチ操作で停止し、引張コイルバネの本数と線径と外径とで各人に最適にする事で吊り上げ力を調整できる吊り下げホルダー。
【考案の詳細な説明】
【技術分野】
【０００１】
本考案は、腰痛や膝関節炎の痛さに苦悩する被介護者の身体移動時の痛みを無くせる吊り上げ力は個人個人で異なり、その吊り上げ力は上半身の重さと同じ力の範囲内に存在し、それら個人個人に最適な吊り上げ力を調整できる吊り下げホルダーに関するものである。
【背景技術】
【０００２】
腰痛や膝関節炎の痛みで寝台に休む事が多い被介護者の上半身の重さと同じ力で吊り上げる事で腰痛や膝関節炎の痛さをなくして立ち上がれるようにし、その個人個人で異なる吊り上げ力は引張コイルバネの本数と線径と外径とを個人個人それぞれに最適な状態にして吊り下げホルダーに取り付けし、その吊り下げホルダーを被介護者自身がスイッチ操作する事で寝台や車椅子や便器での身体移動時の痛さを減少させる最適な高さの位置に吊り下げホルダーを被介護者自身がスイッチ操作し痛みを減らして歩けるようにする。
【考案の概要】
【考案が解決しようとする課題】
【０００３】
腰痛や膝関節炎の痛さで杖をつきやがて車椅子の使用を始めた被介護者が寝台から車椅子へ車椅子から便器への移動時の痛さを軽減し寝台回りでリハビリできる事を目的とする。
【課題を解決するための手段】
【０００４】
上記目的を達成するために、被介護者を吊り上げる紐の下端にUボルトを取り付けし、このUボルトに固定し吊り下げる上円形盤は下面の中心に突出する中心パイプを固着させた。
【０００５】
上円形盤の下面に固着させる外径が異なる複数の短尺パイプそれぞれは中心パイプの外径から均等寸法に外径を広げた位置それぞれに複数の短尺パイプを固着し、それら外径が異なる複数の短尺パイプそれぞれの側面に多数の線径穴をあけ、それら多数の線径穴に多数の引張コイルバネを掛けて吊り下げし、それら多数の引張コイルバネの下端それぞれを下円形盤の上面に固着させた外径が異なる複数の短尺パイプそれぞれの側面にあけた線径穴に掛けて下円形盤を吊り下げた。
【０００６】
下円形盤の外径で両端部双方の広がり部分にピン穴をあけ、そのピン穴に差し入れるピンに装着帯のボタン穴を掛けて装着帯を装着する被介護者の吊り上げを可能にし、その下円形盤は上面から中心にネジ穴を有する下中心パイプを突出させ、そのネジ穴にネジ入れるボルトの下端部を下円形盤の下に出してナットで固定し、そのボルトは上円形盤の中心パイプの中心穴を上に貫通し、そのボルトの頭は上円形盤面の上に位置させた。
【０００７】
被介護者自身がスイッチ操作をし、紐を吊り上げる事で被介護者の体の重さは上円形盤と下円形盤とをつなぐ多数の引張コイルバネを引き伸ばし、さらに上円形盤面より上に位置するボルトの頭は上円形盤の下面に突出する中心パイプの中心穴内を下がり、その中心穴内をボルトの頭が下がり引張コイルバネが伸びる事で吊り上げ力は増加し、その吊り上げ力の増加途中で図2のように被介護者の痛みが消失する引張コイルバネの伸び位置に吊り下げホルダーを停めて歩くように被介護者自身がスイッチ操作し、引張コイルバネの本数と線径と外径とで吊り上げ力を調節できる吊り下げホルダー。
【考案の効果】
【０００８】
寝台と便所との天井内に設置する身体移動機に吊り上げ力を調節できる吊り下げホルダーを取り付けする事で膝関節炎や腰痛等の痛みは減少し、手摺も使用しなくても円弧に歩けるようにし自宅の寝台でのリハビリを可能にした。
【図面の簡単な説明】
【０００９】
【図１】図1は吊り下げホルダーに被介護者の重さの負荷がない場合の断面図。
【図２】図2は被介護者の痛さが無くなるボルトの頭の図の位置まで自身を吊り上げた場合の吊り下げホルダーの断面図。
【図３】図3は被介護者が全体重で吊り下げホルダーにぶら下ってボルトの頭を上円形盤の中心パイプの最下端で止める事で引張コイルバネが伸びは停止保護された断面図。
【図４】図4は下円形盤の上面の平面図。
【図５】図5は実用新案登録第3202552号の装着帯の正面図。
【考案を実施するための形態】
【００１０】
本考案の実施形態を説明する、天井裏内の身体移動機で被介護者を吊り上げる紐Hの下端にUボルトUを取り付けし、このUボルトUを固定する上円形盤Aは下面の中心に突出させる中心パイプAPを固着した。
【００１１】
上円形盤Aの下面に固着させる外径が異なる複数の短尺パイプARそれぞれは中心パイプAPの外径から均等寸法に外径を広げた位置それぞれに短尺パイプARを固着し、それら外径が異なる複数の短尺パイプARそれぞれの側面に多数の線径穴WAをあけ、それら多数の線径穴WAに多数の引張コイルバネWを掛けて吊り下げし、それら多数の引張コイルバネWの下端それぞれを下円形盤Bの上面に固着させた外径が異なる複数の短尺パイプBRそれぞれの側面にあけた線径穴WAに掛けて上円形盤Aが下円形盤Bを多数の引張コイルバネで吊り下げた。
【００１２】
下円形盤Bは上面から中心にネジ穴を有する中心パイプBPを突出させ、そのネジ穴にネジ入れるボルトYの下端部を下円形盤Bの下に出してナットYNで固定し、そのボルトYは上円形盤Aの中心パイプAPの中心穴を上に貫通させてスライドできるようにし、そのボルトYの頭YTは上円形盤Aの上に位置する。
【００１３】
下円形盤Bの外径の両端部双方を広げた部分BBにピンPを直立し、そのピンPに装着帯Sのボタン穴を掛けて装着帯Sを装着する被介護者を紐Hで吊り上げる事で被介護者の体の重さは上円形盤Aと下円形盤Bとの間をつなぐ多数の引張コイルバネWを引き伸ばし、それは上円形盤Aより上に位置するボルトYの頭YTが上円形盤Aの下面から突出する中心パイプAPの中心穴内を下がる事であり、そのボルトYの頭YTが中心穴内を下がる事で吊り上げ力は増加し、その吊り上げ力の増加途中で被介護者の痛みが消失する引張コイルバネの伸び位置に吊り下げホルダーを止めて歩くように被介護者自身がスイッチ操作し、引張コイルバネの本数と線径と外径とを個人個人それぞれに最適状態にする事で吊り上げ力を調整できる吊り下げホルダー。
【符号の説明】
【００１４】
S      装着帯
SA    装着帯のボタン穴
H      紐
U      Uボルト
Y      ボルト
YT    ボルトの頭
YN    ナット
K      カバー
A      上円形盤
AP    上円形盤の中心の下面から突出させた中心パイプ
AR    上円形盤の下面に固着させた外径が異なる複数の短尺パイプ
WA    線径穴
W      引張コイルバネ
B      下円形盤
BR    下円形盤の上面に固着させた外径が異なる複数の短尺パイプ
BP    下円形盤の中心の上面から突出し中心にネジ穴を有する下中心パイプ
P      ピン
BB    下円形盤の両端部双方の広がり部分
【図１】
0003207643.tif 000003
【図２】
0003207643.tif 000004
【図３】
0003207643.tif 000005
【図４】
0003207643.tif 000006
【図５】
0003207643.tif 000007